【手続補正書】
【提出日】平成20年4月23日(2008.4.23)
【手続補正１】
【補正対象書類名】特許請求の範囲
【補正対象項目名】全文
【補正方法】変更
【補正の内容】
【特許請求の範囲】
【請求項１】
鉄(II)イオンを含む第１の薬剤、前記鉄(II)イオンを鉄(III)イオンに酸化するための第２の薬剤、及びｐＨを調整するための第３の薬剤をこの順に混合して、前記鉄(II)イオン及び前記第２の薬剤を含んでｐＨが５．５〜９．０である処理液を生成し、この処理液を原子力プラントを構成する金属部材の表面に接触させることにより前記表面に前記鉄(II)イオンを吸着させ、前記第２の薬剤により前記吸着された鉄(II)イオンを酸化して前記金属部材の前記表面にフェライト皮膜を形成することを特徴とする原子力プラント構成部材の放射性核種の付着抑制方法。
【請求項２】
前記第２の薬剤による前記吸着された鉄(II)イオンの酸化が２０℃〜２００℃の温度条件下で行われる請求項１記載の原子力プラント構成部材の放射性核種の付着抑制方法。
【請求項３】
前記第３の薬剤が原子炉格納容器内で混合される請求項１又は２に記載の原子力プラント構成部材の放射性核種の付着抑制方法。
【請求項４】
前記第１の薬剤がギ酸水溶液に金属鉄を溶解させた溶液であることを特徴とする請求項１ないし３のいずれか１項に記載の原子力プラント構成部材の放射性核種の付着抑制方法。
【請求項５】
前記第１の薬剤がギ酸鉄(II)を溶解した溶液である請求項１ないし４のいずれか１項に記載の原子力プラント構成部材の放射性核種の付着抑制方法。
【請求項６】
前記第１の薬剤が、電解により金属鉄電極から溶出する鉄(II)イオンを含む溶液である請求項１ないし３のいずれか１項に記載の原子力プラント構成部材の放射性核種の付着抑制方法。
【請求項７】
前記第２の薬剤が過酸化水素である請求項１ないし６のいずれか１項に記載の原子力プラント構成部材の放射性核種の付着抑制方法。
【請求項８】
前記第３の薬剤がヒドラジンである請求項１ないし７のいずれか１項に記載の原子力プラント構成部材の放射性核種の付着抑制方法。
【請求項９】
前記第１の薬剤中の前記処理液中における鉄(II)イオン濃度に対する、前記第２の薬剤中の前記処理液中における過酸化水素濃度の比が１／４以下である請求項１ないし８のいずれか１項に記載の原子力プラント構成部材の放射性核種の付着抑制方法。
【請求項１０】
不活性ガスでバブリングされた前記第１の薬剤及び前記処理液を用いる請求項１ないし９のいずれか１項に記載の原子力プラント構成部材の放射性核種の付着抑制方法。
【請求項１１】
前記金属部材が２系統の配管であって、前記処理液を２系統の前記配管の間で交互にフィルアンドドレインすることによって前記金属部材の前記表面への前記フェライト皮膜の形成が行なわれる請求項１ないし１０のいずれか１項に記載の原子力プラント構成部材の放射性核種の付着抑制方法。
【請求項１２】
前記金属部材の前記表面に付着している酸化皮膜を含む汚染物を除去した後に、前記フェライト皮膜の形成を行なう請求項１ないし１１のいずれか１項に記載の原子力プラント構成部材の放射性核種の付着抑制方法。
【請求項１３】
前記汚染物の除去が、酸化除去と還元除去を繰返し行う化学除染により行われる請求項１２記載の原子力プラント構成部材の放射性核種の付着抑制方法。
【請求項１４】
前記フェライト皮膜の形成が、６０℃〜１００℃において行なわれる請求項１ないし１３のいずれか１項に記載の原子力プラント構成部材の放射性核種の付着抑制方法。
【請求項１５】
前記フェライト皮膜の形成が、前記金属部材の前記表面に付着している汚染物を除去する除染工程の終了後から原子力プラントの起動までの間に行われる請求項１ないし１４のいずれか１項に記載の原子力プラント構成部材の放射性核種の付着抑制方法。
【請求項１６】
前記フェライト皮膜の形成部位に自由液面が存在する場合において、気相部を不活性ガスでパージする請求項１ないし１５のいずれか１項に記載の原子力プラント構成部材の放射性核種の付着抑制方法。
【請求項１７】
前記フェライト皮膜の形成後に、使用した薬剤の成分を分解する請求項１ないし１６のいずれか１項に記載の原子力プラント構成部材の放射性核種の付着抑制方法。
【請求項１８】
前記薬剤の成分を分解した後に、さらに請求項１ないし１６のいずれか１項に記載のフェライト皮膜の形成を行なう請求項１７に記載の原子力プラント構成部材の放射性核種の付着抑制方法。
【手続補正２】
【補正対象書類名】明細書
【補正対象項目名】発明の名称
【補正方法】変更
【補正の内容】
【発明の名称】原子力プラント構成部材への放射性核種の付着抑制方法
【手続補正３】
【補正対象書類名】明細書
【補正対象項目名】０００１
【補正方法】変更
【補正の内容】
【０００１】
本発明は、発電プラント等の原子力プラントの構成部材への放射性核種の付着を抑制す
る方法に関する。
【手続補正４】
【補正対象書類名】明細書
【補正対象項目名】００１３
【補正方法】変更
【補正の内容】
【００１３】
即ち、本発明は以下の発明を包含する。
（１）鉄(II)イオンを含む第１の薬剤、前記鉄(II)イオンを鉄(III)イオンに酸化するための第２の薬剤、及びｐＨを調整するための第３の薬剤をこの順に混合して、前記鉄(II)イオン及び前記第２の薬剤を含んでｐＨが５．５〜９．０である処理液を生成し、この処理液を原子力プラントを構成する金属部材の表面に接触させることにより前記表面に前記鉄(II)イオンを吸着させ、前記第２の薬剤により前記吸着された鉄(II)イオンを酸化して前記金属部材の前記表面にフェライト皮膜を形成する原子力プラント構成部材の放射性核種の付着抑制方法。
（２）前記第２の薬剤による前記吸着された鉄(II)イオンの酸化が２０℃〜２００℃の温度条件下で行われる（１）記載の方法。
（３）前記第３の薬剤が原子炉格納容器内で混合される前記（１）又は（２）記載の方法。
（４）前記第１の薬剤がギ酸水溶液に金属鉄を溶解させた溶液である前記（１）ないし（３）のいずれかに記載の方法。
（５）前記第１の薬剤がギ酸鉄(II)を溶解した溶液である前記（１）ないし（４）のいずれかに記載の方法。
（６）前記第１の薬剤が、電解により金属鉄電極から溶出する鉄(II)イオンを含む溶液である前記（１）ないし（３）のいずれかに記載の方法。
（７）前記第２の薬剤が過酸化水素である前記（１）ないし（６）のいずれかに記載の方法。
（８）前記第３の薬剤がヒドラジンである前記（１）ないし（７）のいずれかに記載の方法。
（９）前記第１の薬剤中の前記処理液中における鉄(II)イオン濃度に対する、前記第２の薬剤中の前記処理液中における過酸化水素濃度の比が１／４以下である前記（１）ないし（８）のいずれかに記載の方法。
（１０）不活性ガスでバブリングされた前記第１の薬剤及び前記処理液を用いる前記（１）ないし（９）のいずれかに記載の方法。
（１１）前記金属部材が２系統の配管であって、前記処理液を２系統の前記配管の間で交互にフィルアンドドレインすることによって前記金属部材の前記表面への前記フェライト皮膜の形成が行なわれる前記（１）ないし（１０）のいずれかに記載の方法。
（１２）前記金属部材の前記表面に付着している酸化皮膜を含む汚染物を除去した後に、前記フェライト皮膜の形成を行なう前記（１）ないし（１１）のいずれかに記載の方法。
（１３）前記汚染物の除去が、酸化除去と還元除去を繰返し行う化学除染により行われる前記（１２）記載の方法。
（１４）前記フェライト皮膜の形成が、６０℃〜１００℃において行なわれる前記（１）ないし（１３）のいずれかに記載の方法。
（１５）前記フェライト皮膜の形成が、前記金属部材の前記表面に付着している汚染物を除去する除染工程の終了後から原子力プラントの起動までの間に行われる前記（１）ないし（１４）のいずれかに記載の方法。
（１６）前記フェライト皮膜の形成部位に自由液面が存在する場合において、気相部を不活性ガスでパージする前記（１）ないし（１５）のいずれかに記載の方法。
（１７）前記フェライト皮膜の形成後に、使用した薬剤の成分を分解する前記（１）ないし（１６）のいずれかに記載の方法。
（１８）前記薬剤の成分を分解した後に、さらに前記（１）ないし（１６）のいずれかに記載のフェライト皮膜の形成を行なう前記（１７）記載の方法。